(57)【特許請求の範囲】
【請求項１】
第１接着層、透明又は半透明なフィルム、透明又は半透明な樹脂層、及び、第２接着層が順次積層されている疑似接着シートと、第１基材と、第２基材とを有し、前記疑似接着シートの前記第１接着層に前記第１基材が接着され、前記疑似接着シートの前記第２接着層に前記第２基材が接着され、前記第１基材又は前記第２基材に記録されている情報が隠蔽されている情報記録媒体において、前記フィルムと前記樹脂層との界面で前記第１基材と前記第２基材とを剥離するための切り込み部が前記第２基材に設けられていることを特徴とする隠蔽情報記録媒体。
【請求項２】
前記第１基材と前記第２基材とが、連接された１枚の基材を折り畳んだものである請求項１記載の隠蔽情報記録媒体。
【発明の詳細な説明】
【０００１】
【発明の属する技術分野】
本発明は、情報が記録された基材同士が剥離可能に接着された隠蔽情報記録媒体に関し、特に、隠蔽された情報を見るために、記録媒体を剥離しやすい隠蔽情報記録媒体に関するものである。
【０００２】
【従来の技術】
定期預金の満期のお知らせや電話料金の口座振替通知などの親展性が高い情報を通知する場合や、情報量の多いダイレクトメールを送付する場合など、本来であれば、封書で送る必要のある状況で、封書と葉書の郵便料金の価格差から、表裏に情報が記録された基材を折り畳み若しくは積層して剥離可能に疑似接着させて郵送することが行われている。
この複層化された葉書の受取人は、複層化された葉書の基材を剥離することによって、葉書の内面に隠蔽されている情報を確認することができる。
【０００３】
このような複層化葉書は、基材に塗布した感圧粘着剤同士を密着させることで再剥離可能に接着するもの（実用新案第２５４９２１６号）や、フィルムに樹脂をコーティングし、さらに接着剤を両面に設けて基材に接着させ、フィルムと樹脂の界面から剥離可能にしたもの（特許第２６４５５３５号）が知られている。
しかしながら、これら複層化葉書は、郵送過程で突発的に剥離しないように、ある程度強い力で基材同士を接着しているため、葉書の内面に隠蔽されている情報を確認する際に、うまく剥離できないことがあった。
そこで、例えば、葉書の一端で基材の重なりをずらすこと（特公平８−１５８２７号）や、基材のコーナー部分をカットすることが提案されている。
【０００４】
葉書の一端で基材の重なりをずらす特公平８−１５８２７号の方法では、図６に示すように、疑似接着シート１００として、透明な樹脂層１０２が透明な樹脂フィルム１０１にコーティングされて剥離面を構成し、さらに、透明な感熱接着剤層１０３が樹脂フィルム１０１と樹脂層１０２の外側の両面に設けられたものが用いられている。
このような疑似接着シート１００を、図７のように、第１基材１０４と第２基材１０５の間に挟み込んで加熱加圧することで透明な感熱接着剤層１０３により一体化され、第１基材１０４と第２基材１０５が剥離可能な葉書１１０となっている。
この葉書１１０の受取人は、宛名面１０６を保持部として、第１基材１０４を第２基材１０５から剥離し、第１基材１０４と第２基材１０５とで隠蔽されている情報を見ることができる。
【０００５】
また、基材のコーナー部をカットして剥離のための保持部とする方法は、上述の疑似接着シート１００と同様の疑似接着シート２００を用いて、図８に示すように、第１基材２０４と予めコーナー部２０７が除去されている第２基材２０５とを剥離可能に一体化した葉書２１０としている。
この葉書２１０では、第１基材２０４のコーナー部２０７と重なる部分が、第２基材２０５から第１基材２０４を剥離する際の保持部となる。
【０００６】
【発明が解決しようとする課題】
しかしながら、葉書料金で郵送できる基材の大きさが限られていることから、前述の葉書１１０では、基材の重なりを葉書の一端でずらすことによって保持部を作成しているため、図７のように、保持部を大きくしようとすると、第１基材１０４と第２基材１０５とが重なる部分が少なくなり、隠蔽情報として送付できる情報量も少なくなってしまうという問題がある。
また、疑似接着シートの表裏面とも最表面が感熱接着剤であるため、図８の葉書の場合、除去されたコーナー部２０７で疑似接着シート２００が露出していると、加熱加圧によって第１基材２０４と第２基材２０５とを一体化する際に、圧着ローラーや他の葉書と接着してしまう。
現在、市販されている疑似接着シートは、図８の上下方向に複数連接されたロール形態で供給されていることから、図８のように、コーナー部２０７で疑似接着シート２００が露出しないようにすると、コーナー部２０７以外の葉書の端部でも、第１基材２０４と第２基材２０５とを接着することができず、郵送時などに、この非接着部分に他の郵便物が巻き込まれてしまうという問題がある。
【０００７】
そこで、本発明は、隠蔽情報が記録できる領域をほとんど減らさずに、また、基材の非接着部分を実質的に作り出すことがない、容易に開封できる隠蔽情報記録媒体の提供を目的とするものである。
【０００８】
【課題を解決するための手段】
上記の目的を達成するために本発明の隠蔽情報記録媒体は、第１接着層、透明又は半透明なフィルム、透明又は半透明な樹脂層、及び、第２接着層が順次積層されている疑似接着シートと、第１基材と、第２基材とを有し、疑似接着シートの第１接着層に第１基材が接着され、疑似接着シートの第２接着層に第２基材が接着され、第１基材又は第２基材に記録されている情報が隠蔽されている情報記録媒体において、フィルムと樹脂層との界面で第１基材と第２基材とを剥離するための切り込み部が第２基材に設けられている。
なお、第１基材と第２基材とが、連接された１枚の基材を折り畳んだものであってもよい。
【０００９】
【発明の実施の形態】
以下、本発明の情報記録媒体について、図面に基づいて詳細に説明する。
ここで、図１から図５は、本発明の隠蔽情報記録媒体の実施例を説明するための図、図１は第１基材及び第２基材の表面を説明するための図、図２は第１基材及び第２基材の裏面を説明するための図、図３は実施例の断面図、図４は剥離しかかった状態の断面図、図５は切り込み部の変形例を示す図である。
【００１０】
実施例の隠蔽情報記録媒体においては、図１及び図２に示すように、第１基材１は、切り取り予定線ｍ１、ｍ２、ｎ２、及び、折り予定線ｌに囲まれた領域の部分であり、また、第２基材２は、切り取り予定線ｍ１、ｍ２、ｎ１、及び、折り予定線ｌに囲まれた領域の部分である。
第１基材１と第２基材２とは、折り予定線ｌを境として連接されており、印字や疑似接着加工を容易に行えるように、連接された基材の両側に、マージナルパンチホールが形成され、さらに、図の上下方向に、第１基材及び第２基材が複数連接された、連続帳票の形となっている。
【００１１】
第１基材１の表面には宛名情報や隠蔽する必要のない情報などが印字又は印刷されており、裏面には隠蔽する必要がある情報や表面に記録しきれない情報が印字又は印刷されている。
第２基材２には、切り込み部３が、実際の切り取りが切り取り予定線からずれた場合を考慮して、切り取り予定線ｍ２及びｎ１から少しはみ出るように設けられており、この切り込み部３の外側が剥離の際の保持部４となる。
切れ込み部３を第１基材１と第２基材２を一体化した後ではなく、一体化前に設けるのは、一体化後では、加工が困難なためである。
第２基材２の表面には、「ここから剥がして下さい。」というような剥離のきっかけである保持部を明示する記載があり、特に隠蔽する必要のない情報などが印字又は印刷されており、裏面には、第１基材１と同様に、隠蔽する必要がある情報や表面に記録しきれない情報が印字又は印刷されている。
【００１２】
図３は、第１基材１と第２基材２とが疑似接着シート５によって一体化された隠蔽情報記録媒体１０の部分断面図である。
疑似接着シート５は、ポリエステルフィルムなどである透明又は半透明なフィルム５１と、その片面に塗布された熱可塑性樹脂からなる透明又は半透明な樹脂層５２と、フィルム５１の外側面に形成され、第１基材１に接着するための感熱接着剤からなる第１接着層５３、樹脂層５２の外側面に形成され、第２基材２に接着するための感熱接着剤からなる第２接着層５４とから構成されており、フィルム５１と樹脂層５２との界面から剥離することができる。
この疑似接着シート５の詳細については、特公平８−１５８２７号公報や特許第２６４５５３５号公報に詳しく記載されており、この特許の出願人から購入することができる。
保持部４を形成する切り込み部３は、第２基材２にのみ設けられており、疑似接着シート５には形成されていない。
【００１３】
図４は、剥離しかかった隠蔽情報記録媒体の断面図であり、保持部４をおさえて隠蔽情報記録媒体１０を反らせると、切り込み部３のところから、フィルム５１と樹脂層５２の界面で剥離しはじめる。
これは、第２接着層５４及び樹脂層５２がともに塗布により形成された層であるため、層内の結合力が弱く、切り込み部３と接する第２接着層５４に応力が集中すると、第２接着層５４と樹脂層５２が引き裂かれてしまい、切り込み部３の切り込みが剥離面であるフィルム５１と樹脂層５２の界面に到達し、容易に第１基材１と第２基材２とを剥離することができる。
一方、仮に第１基材１に切り込み部を設けた場合、第１接着層５３は第２接着層５４と同様に引き裂かれるが、フィルム５１は、その層内の結合力が強く、また、柔軟性があるため、応力が集中した近辺のフィルムが伸びてしまい、裂け目が剥離面であるフィルム５１と樹脂層５２との界面に到達せず、剥離のきっかけにならない。
【００１４】
以上、本発明の実施例について説明してきたが、本発明は、前述の実施例に限定されるものではなく、発明の範囲内において、様々な変形が可能である。
例えば、切り込み部は、隠蔽情報記録媒体が反らされたときに、保持部が第２基材から離れるようなものであればよく、目の細かいミシン目であるマイクロミシンや、連接部の少ないミシン目であってもよい。
また、保持部は、隠蔽情報記録媒体のコーナー部に設ける必要はなく、切り取り予定線ｎ１に隣接して又は近隣に半円状（図５（ａ））、多角形状（図５（ｂ））、ライン状（図５（ｃ））のように設けてもよい。
さらに、第１基材と第２基材が折り線を介して連接されている必要はなく、全く別の２種類の基材を用いてもよく、さらにまた、基材は２つに限らず、３つでも、４つでもよく、連続帳票でなくてもよい。
また、本発明の隠蔽情報記録媒体としては、葉書以外に、給与明細書などの郵送しない通知書、カタログ、くじなどに利用することができる。
【発明の効果】
本発明の隠蔽情報記録媒体は、疑似接着シートの樹脂層側の基材である第２基材に切り込み部を設けたことにより、隠蔽情報が記録できる領域を充分に確保でき、また、基材の非接着部分を実質的に作り出すことがなく、さらに、容易に開封できる剥離のきっかけとなる保持部を設けることができるものである。
【図面の簡単な説明】
【図１】本発明の実施例の第１基材及び第２基材の表面を説明するための図である。
【図２】本発明の実施例の第１基材及び第２基材の裏面を説明するための図である。
【図３】本発明の実施例の断面図である。
【図４】本発明の実施例の剥離しかかった状態を示す断面図である。
【図５】図５は切り込み部の変形例を示す図である。
【図６】特公平８−１５８２７号の疑似接着シートを説明するための図である。
【図７】特公平８−１５８２７号の隠蔽情報記録媒体を説明するための図である。
【図８】従来のコーナーカットされた隠蔽情報記録媒体を説明するための図である。
【符号の説明】
１  第１基材
２  第２基材
３  切り込み部
４  保持部
５  疑似接着シート
５１  フィルム
５２  樹脂層
５３  第１接着層
５４  第２接着層
１０  隠蔽情報記録媒体
ｍ１，ｍ２，ｎ１，ｎ２  切り取り予定線
ｌ  折り予定線
【図１】
0004090612.tif 000002
【図２】
0004090612.tif 000003
【図３】
0004090612.tif 000004
【図４】
0004090612.tif 000005
【図５】
0004090612.tif 000006
【図６】
0004090612.tif 000007
【図７】
0004090612.tif 000008
【図８】
0004090612.tif 000009